(57)【要約】      （修正有）【課題】所定の速さで回転する複数個のゴンドラ状トレイの上に、絵または文字が書かれた小さなチップを一定の順序で載せることにより、脳を活性化・刺激して、ボケ予防、幼児知育を実現する回転遊具を提供する。【解決手段】鉛直面内を所定の速さで回転する回転子１と、その回転子の同一円周上に定間隔に設けた係止フックに引掛垂下するゴンドラ状トレイ４と、該トレイに載せることができる複数枚のチップ６と、前記チップを前記ゴンドラ状トレイから落下させる機構５を設ける。【選択図】図１
0003124037.tif 000002
【実用新案登録請求の範囲】
【請求項１】
絵または文字が書かれた複数枚のチップと、そのチップを載せて動かす下記構成の回転盤との組み合わせから成り、
回転盤は鉛直面内を所定の速さで回転する回転子と、その回転子を回転可能に支持する台座と、前記チップの一つを載せて保持するゴンドラ状トレイであって、回転子の同一円周上に定間隔に突出した係止フックに夫々引掛垂下させたゴンドラ状トレイと、前記ゴンドラ状トレイに衝突してトレイ上のチップを落とす落下装置を設けたことを特徴とする絵または文字の回転遊具。
【請求項２】
前記回転盤は、スイッチと、バッテリと、あらかじめ設定された駆動力をもって回転駆動する駆動モータと、複数のギヤより成る回転伝達部と、回転伝達部のギヤと噛合うギヤにより鉛直面内を所定の速さで回転する円板またはリングからなる回転子とからなっていることを特徴とする請求項１に記載の絵または文字の回転遊具。
【請求項３】
前記落下装置は、トレイとの衝突を回避する切換手段を備えている請求項1または2のいずれかに記載の絵または文字の回転遊具。
【考案の詳細な説明】
【技術分野】
【０００１】
この考案は、遊戯者の脳を活性化・刺激することを狙いとする回転遊具に関し、絵または文字チップを回転するトレイの上に載せることでボケ予防、幼児知育を実現する遊具に関する。
【背景技術】
【０００２】
脳の機能は青年期を過ぎると体力・筋力と同様に、年々低下するので、高齢者にとっては、身体の健康を維持すると同時に脳の老化防止をはかることはボケ予防に重要なこととされている。そのため最近、中高年層向けに脳の活性化を目的にしたトレーニング用の図書、電子玩具、ゲーム機器が開発、提案されている。
【考案の開示】
【考案が解決しようとする課題】
【０００３】
この考案の遊具は、歳とともにその働きが衰えてゆく高齢者の脳の健康を保ち、脳を刺激活性化することを主眼とし、特に、楽しみながら指先を動かすことで空間認識、神経集中、記憶力など、頭を使いながら主に卓上で使用して遊べる、絵または文字の回転盤を提案する。
特に、従来の電子玩具やゲーム機器のように複雑、高価なものでなく、しかも年齢に関係なく、幼児でもあそべ、かつ簡単に持ち運びができるようにしたものである。
【課題を解決するための手段】
【０００４】
上記の課題を達成するため、請求項１の本考案は、絵または文字が書かれた複数枚のチップと、そのチップを載せて動かす下記構成の回転盤との組合わせから成り、
回転盤は鉛直面内を所定の速さで回転する回転子と、その回転子を回転可能に支持する台座と、前記チップの一つを載せて保持するゴンドラ状トレイであって、回転子の同一円周上に定間隔に突出した係止フックに夫々引掛垂下させたゴンドラ状トレイと、前記ゴンドラ状トレイに衝突してトレイ上のチップを落とす落下装置を設けたことを特徴とする。
【０００５】
請求項２の考案は、前記回転盤が、スイッチと、バッテリと、あらかじめ設定された駆動力をもって回転駆動する駆動モータと、複数のギヤより成る回転伝達部と、回転伝達部のギヤと噛合うギヤにより鉛直面内を所定の速さで回転する円板またはリングからなる回転子とからなっていることを特徴としている。
【０００６】
請求項３の考案は、前記落下装置が、トレイとの衝突を回避する切換手段を備えていることを特徴としている。
【考案の効果】
【０００７】
上記考案の構成により、遊戯者は定時間内に小さなチップを順番にてきぱきと回転中のゴンドラ状トレイに載せるという集中力と、手指の運動能力を向上させ、特に指を動かすことで脳を刺激して活性化を図り、さらに絵または文字が書かれた小さなチップを前後のゴンドラ状トレイを互いに関連付けさせながら一定の順序で、定時間内にゴンドラ状トレイの上に載せることで前後のゴンドラ状トレイを互いに関連付けをする「しりとり遊び」等を楽しむことができ、空間認識、神経集中、記憶力など頭を使いながら楽しみながら遊べる。また幼児の健全な知育効果も奏する。
【考案を実施するための最良の形態】
【０００８】
次に本考案の実施の形態について図面を参照し説明する。図１は、主に卓上で使用する本考案の回転遊具の一実施態様を示す斜視図で、観覧車のような形態した回転盤である。図２は同上裏面図である。図３は同上側面図である。図４は同上駆動部分の説明図である。図５はチップ（小さな札である）を空のゴンドラ状トレイの上に載せる状態を示した説明図である。図６は前記チップをゴンドラ状トレイの上から落とす状態を示す部分説明図である。
【０００９】
図において、符号１は鉛直面内を所定の速さ、一例として４０〜９０秒で１回転する回転子である。回転子１の大きさは、一例として直径１５〜３０ｃｍ程度の、主に卓上で使用できるものが好ましく用いられる。２は、その回転子を回転可能に支持する台座である。図示例の回転子１は円板から成っているが、リング体でも差し支えない。
また、前記回転子（円板）１の同一円周上に、定間隔に係止フック３を突出させる。この突出した係止フック３に、ゴンドラ状トレイ４が一つづつ引掛垂下されている。このゴンドラ状トレイ４は、後述する図７のチップの一つを載せて、回転移送する機能を有している。
さらに、前記回転子１下方の台座２上には、前記ゴンドラ状トレイが所定位置まで回転したときに、トレイと衝突してそのトレイを傾けて、前記トレイ上のチップをトレイから落とすストッパー棒からなる落下装置５を設ける。
【００１０】
因みに前例の落下装置は、回転子１と所定位置で必ず衝突するように、台座２上に固定的に設けているが、後述する図８にも例示したように、ピン１３を介して落下装置が起倒自在となっていて、ゴンドラ状トレイ４の回転軌道から落下装置５が離れるように倒れたとき、トレイとの衝突を回避する切換手段１４を備えているものであれば好ましい。
【００１１】
図７において、  符号６で示すものは、一例としてほぼ円形で薄板状をした、換言すると、コイン形状をしたチップの説明図であり、本考案の回転遊具の必須の部品である。このチップ６はプラスチックまたは金属製で、チップ表面／及びまたは裏面には絵または文字が書かれている。例えば、チップの表面には、「あいうえお・・・・・ん」等のひら仮名の１文字を書き、また裏面には、「ＡＢＣＤ・・・・Ｚ」等のようなアルファベットの１文字や「１２３・・・１０」のような数字、そのほか動物の絵模様その他の絵柄を描いてもよい。
以上のような構成のチップ６を、一例として５１枚（個）準備しておくのである。
【００１２】
一方、前記のゴンドラ状トレイ４は、前記回転子１の表面の同一円周上に定間隔に突出させた係止フック３に吊下げると、夫々のゴンドラ状トレイ４は、回転子１が回転しても、常に鉛直方向下方に向いている。そしてこのゴンドラ状トレイ４は、前記チップ６の一つを載せて回転しても、チップがみだりに落ちないような窪みまたは縁部７を有している。しかし、前記ゴンドラ状トレイ４が所定位置まで回転したとき、図６のように、前記回転子１下方の台座２上に設けたストッパー棒からなる落下装置５と、前記トレイ４とが衝突し、そのトレイ４を傾けて前記トレイ上のチップ６をトレイ４から落とすようになっている。
【００１３】
なお、図中符号１０は、本考案の回転盤を示し、スイッチ部８と、バッテリ部９と、あらかじめ設定された駆動力をもって回転駆動する駆動モータ１１と、複数のギヤより成る回転伝達部１２と、その回転伝達部のギヤと噛合うギヤにより鉛直面内を所定の速さ、例えば４０秒で１回転する円板またはリングからなる回転子１とからなっている。
【００１４】
次に本考案の遊具の使い方の一例を説明する。
先ずスイッチ８をオンにすると、回転子１は複数のギヤに減速され駆動モータ１１と回転伝達部１２の作用でゆっくり回転をする。遊戯者は、チップ６を指でつまみ上げ所定位置からゴンドラ状トレイ4の上に載せる。
文字を記したチップ６を用いる場合は、回転子１を介して所定の速さで回転移動するゴンドラ状トレイ４の上に、前記チップ６を連続して載せることで、回転移動する前後のトレイに載せた状態のチップの文字を関連付けする遊びが可能になる。
【００１５】
また、文字ではなく動物の絵などを記したチップ６を用いた場合は、動物の名称をいわゆる「しりとり」に関連させて、前例の場合と同様に絵を記したチップを順次回転移動するトレイに載せる遊びを行うことができる。
【００１６】
数字を記したチップを用いる場合も、前例と同様に前後の数字と関連付けする遊びを行うことができる。
【００１７】
どの場合も、回転子１を介して所定の速さで回転移動するゴンドラ状トレイ４が所定位置まで回転した後、回転子１下方の台座２上に設けた落下装置５と前記トレイ４とがぶつかる。そしてぶつかったトレイ４がストッパー５を通りすぎる際に、そのトレイ４が傾くことで、その関連付けした文字、動物、数字を記したチップ６はトレイから落ちてクリヤーされる。クリヤーされたチップ６は台座２から転がり落ちる。なお、図８に例示したが、落下装置５に設けたシュート１５により、クリヤーされたチップ６を一列に収納するコンパートメント１６を台座２に設けることがある。
【００１８】
以上のように本考案では、回転する小さなトレイに文字、数字、絵柄等を記したちいさなチップをのせることで、前後のトレイを関連付ける遊びが可能になりました。また、トレイは一周すると、前記のチップをトレイから払い落とすように仕組まれているために、一定の時間内で前記文字や絵を関連付けする遊びを完結させる必要性が生じるために、記憶力など頭を使いながらテキパキ判断して、トレイ上にチップを載せることが必要になり、指先を動かすことと、神経の集中等により、前頭葉を刺激するのである。
【００１９】
従来、物を載せるトレイを具備し、観覧車形態を有する回転玩具はありましたが、従来のものは回転を見て楽しむことを目的としたものであった。しかし本考案の遊具は、楽しみながら指先を動かすことで空間認識、神経集中、記憶力など頭を使いながら遊べる、絵または文字の回転遊具を提案するものであり、このようなものは従来なかったものである。
【図面の簡単な説明】
【００２０】
【図１】本考案の回転遊具の一実施態様を示す斜視図である。
【図２】同上裏面図である。
【図３】同上側面図である。
【図４】同上駆動部の説明図である。
【図５】チップをゴンドラ状トレイの上に載せる状態を示した説明図である。
【図６】チップをゴンドラ状トレイの上から落とす状態を示す説明図である。
【図７】コイン形状をしたチップの説明図である。
【図８】トレイとの衝突を回避する切換手段を備えた落下装置と、落下したチップを収納するコンパートメントの説明図である。
【符号の説明】
【００２１】
１  回転子
２  台座
３  係止フック
４  ゴンドラ状トレイ
５  落下装置
６  円板状チップ
７  縁部
８  スイッチ
９  バッテリ
１０  回転盤
１１  駆動モータ
１２  回転伝達部
１３  ピン
１４  切換手段
１５  シュート
１６  チップを収納するコンパートメント
【図１】
0003124037.tif 000003
【図２】
0003124037.tif 000004
【図３】
0003124037.tif 000005
【図４】
0003124037.tif 000006
【図５】
0003124037.tif 000007
【図６】
0003124037.tif 000008
【図７】
0003124037.tif 000009
【図８】
0003124037.tif 000010